(57)【要約】【課題】カーテンのリターン部を簡単にカーテンレールに着脱することができるカーテンリターン部用金具を提供する。【解決手段】カーテンレール２０の端部に位置し、カーテンレール２０の長手方向に対して交差する方向に位置した板状の取付板１６を有する。取付板１６のカーテンレール２０とは反対側の外面には、面ファスナ１８を備える。カーテン５４のリターン部５６には、面ファスナ１８に着脱可能な他の面ファスナ５８を備える。【選択図】図１
0003138685.tif 000002
【実用新案登録請求の範囲】
【請求項１】
カーテンレールの端部に位置し、前記カーテンレールの長手方向に対して交差する方向に位置した板状の取付板と、前記取付板の前記カーテンレールとは反対側の外面に取り付けられた面状係止部材が設けられていることを特徴とするカーテンリターン部用金具。
【請求項２】
前記取付板には、前記カーテンレールの端部にネジにより取り付けられたストップ部材の前記ネジが挿通される面に沿って取り付けられる固定板が設けられ、前記固定板には、前記ストップ部材の前記ネジが挿通され周縁部がネジの頭部で係止される切込部が設けられていることを特徴とする請求項１記載のカーテンリターン部用金具。
【請求項３】
前記面状係止部材は面ファスナであり、前記カーテンリターン部用金具に取り付けられるカーテンのリターン部には、前記面ファスナに着脱可能な他の面ファスナが取り付けられていることを特徴とする請求項１記載のカーテンリターン部用金具。
【請求項４】
前記取付板と前記固定板は、一枚の金属板で作られ、互いにほぼ直角に折り曲げられ、前記取付板は、前記カーテンレールの長手方向に対して直角で水平方向に長い形状であることを特徴とする請求項１又は２記載のカーテンリターン部用金具。
【考案の詳細な説明】
【技術分野】
【０００１】
この考案は、カーテンの両側の上端部に設けられカーテンレールの端面を覆って壁側に回されるリターン部を掛け止めるカーテンリターン部用金具に関する。
【背景技術】
【０００２】
従来、窓側カーテンと室内側カーテンからなる二重カーテンの場合、窓側カーテンレールと室内側カーテンレールが互いに平行に設けられ、室内側カーテンの端部には、リターン部が設けられたものがある。リターン部は、カーテンの生地を側方に延長して設けられ、一対のカーテンレールの端部を覆ってＬ字形に折り曲げられて壁側に達している。このようなリターン部によると、窓からの光がカーテンの横から室内に入ることを防ぎ、また室内で窓を横から見たときに一対のカーテンレールや窓側カーテンが隠されてすっきりとするものである。
【０００３】
カーテンのリターン部を係止する方法として、例えば特許文献１に開示されているように窓側カーテンレールにカーテンリターン部用金具を取り付け、リターン部のフックを掛け止めるものがある。このカーテンリターン部用金具は、Ｌ字形に連続する固定板部とフック板部が設けられ、固定板部にはカーテンレールの端部に取り付けられたストップ部材の止めねじを通すねじ通し溝を備え、フック板部にはフック穴が設けられている。一方、カーテンのリターン部にはフックが取り付けられ、このフックをカーテンリターン部用金具のフック穴にかけて、リターン部を吊下げる。
【特許文献１】特開２００３−２５０６９２号公報
【考案の開示】
【考案が解決しようとする課題】
【０００４】
上記背景技術の場合、カーテンのリターン部をかけるとき、リターン部のフックをカーテンリターン部用金具の小さいフック穴にかけなければならず、やりにくかった。特にカーテンレールの横に壁や家具がある場合、フック穴の位置がわかりにくいため、面倒であった。
【０００５】
この考案は、上記従来の技術の問題点に鑑みてなされたものであり、カーテンのリターン部を簡単にカーテンレールに着脱することができるカーテンリターン部用金具を提供することを目的とする。
【課題を解決するための手段】
【０００６】
本考案は、カーテンレールの端部に位置し、前記カーテンレールの長手方向に対して交差する方向に位置した板状の取付板と、前記取付板の前記カーテンレールとは反対側の外面に取り付けられた面状係止部材が設けられているカーテンリターン部用金具である。
【０００７】
また、前記取付板には、前記カーテンレールの端部にネジにより取り付けられたストップ部材の前記ネジが挿通される面に沿って取り付けられる固定板が設けられ、前記固定板には、前記ストップ部材の前記ネジが挿通され周縁部がネジ頭で係止される切込部が設けられている。
【０００８】
また、前記面状係止部材は面ファスナであり、前記カーテンリターン部用金具に取り付けられるカーテンのリターン部には、前記面ファスナに着脱可能な他の面ファスナが取り付けられている。なお、前記面状係止部材は、面ファスナ以外に磁石等でもよい。
【０００９】
また、前記取付板と前記固定板は、一枚の金属板で作られ、互いにほぼ直角に折り曲げられ、前記取付板は、前記カーテンレールの長手方向に対して直角で水平方向に長い形状に形成されている。
【考案の効果】
【００１０】
本考案のカーテンリターン部用金具は、簡単な構造で、カーテンのリターン部を簡単にカーテンレールの端部に着脱することができる。カーテンのリターン部を面状係止部材で係止することにより、カーテンに皺が寄らず外観が良好である。
【考案を実施するための最良の形態】
【００１１】
以下、この考案の実施形態について図面に基づいて説明する。図１、図２はこの考案の一実施形態を示すもので、この実施形態のカーテンリターン部用金具１０は、金属製の板等で作られ、矩形の固定板１２を有し、固定板１２の一端部１２ａには、端部１２ａの中心から固定板１２の中央に向かって形成された溝状の切込部１４が設けられている。固定板１２の端部１２ａとは反対側の端部１２ｂには、固定板１２よりも大きい矩形の取付板１６が一体に設けられている。取付板１６は一方向に長く形成され、長手方向の一方の端部１６ａの中心が、固定板１２の固定板１２ｂに連続している。取付板１６は、固定板１２に対してほぼ直角に位置している。固定板１２と取付板１６は、一枚の金属板を打ち抜いて、９０度に折り曲げて作るとよい。
【００１２】
取付板１６の、Ｌ字形に固定板１２から離れた外側面１６ｂには、外側面１６ｂのほぼ全面に面ファスナ１８が設けられている。面ファスナ１８は、互いに着脱する雄部材と雌部材のいずれか一方が設けられている。
【００１３】
カーテンリターン部用金具１０は、例えば図２、図３に示すように、窓側カーテン５０と室内側カーテン５４からなる二重カーテンに使用され、この場合窓側カーテンレール２０と室内側カーテンレール２２はブラケット２４に保持され、互いに平行に、窓の上方の壁部に取り付けられている。窓側カーテンレール２０と室内側カーテンレール２２は、中空の長尺部材であり、下方に開口する溝部２６が設けられ、カーテンリターン部用金具１０は、窓側カーテンレール２０の端部に取り付けられている。
【００１４】
窓側カーテンレール２０の端部には、ストップ部材２８が設けられている。ストップ部材２８は、窓側カーテンレール２０の端部を水平方向から覆う矩形のキャップ形であり、ストップ部材２８には窓側カーテンレール２０の下面に当接する底面２８ａが設けられている。底面２８ａには、溝部２６に連通する透孔３０が設けられている。底面２８ａの開口側の端部には、底面２８ａに対してほぼ直角に下方へ突出する板状のリング掛け部３２が一体に設けられている。リング掛け部３２の中心には、リング穴３４が形成されている。
【００１５】
ストップ部材２８の内側には、ナット部材３６が設けられている。ナット部材３６には、窓側カーテンレール２０の溝部２６に差し込まれ溝部２６を挟んでストップ部材２８の底面２８ａに重ねられる上面３６ａが設けられ、上面３６ａの、ストップ部材２８の透孔３０に対向する部分にはネジ穴３８が形成されている。上面３６ａの端部には、上面３６ａに対してほぼ直角に下方へ突出する位置決め板４０が設けられている。位置決め板４０は、ストップ部材２８のリング掛け部３２に重ねられ、位置決め板４０の端部４０ａから中心に向かって溝状の切欠部４２が設けられ、リング掛け部３２のリング穴３４が露出している。
【００１６】
次に、カーテンリターン部用金具１０の取付方法について説明する。まず、窓側カーテンレール２０の端部にストップ部材２８をかぶせ、ナット部材３６の上面３６ａを窓側カーテンレール２０の溝部２６から内側に入れて、溝部２６を挟んでストップ部材２８の底面２８ａに対向させ、ナット部材３６のネジ穴３８とストップ部材２８の透孔３０を連通させる。ストップ部材２８の底面２８ａの下に、カーテンリターン部用金具１０の固定板１２を重ねる。このとき、カーテンリターン部用金具１０の取付板１６は、窓側カーテンレール２０の長手方向にほぼ直角に、窓側カーテンレール２０の外側下方に位置し、面ファスナ１８が窓側カーテンレール２０と反対側に位置するようにセットする。カーテンリターン部用金具１０の固定板１２の切込部１４の内側に、下方からネジ４４を差し込み、ネジ４４はストップ部材２８の透孔３０と窓側カーテンレール２０の溝部２６を通過してナット部材３６のネジ穴３８に螺合される。カーテンリターン部用金具１０の固定板部１２の切込部１４周縁部は、ネジ４４の頭部に係止され、カーテンリターン部用金具１０とストップ部材２８は、ナット部材３６とネジ４４により、窓側カーテンレール２０に取り付けられる。
【００１７】
また、窓側カーテンレール２０の溝部２６には、摺動可能な図示しないランナーが設けられ、各ランナーにはリング４８が吊下げられている。ストップ部材２８のリング掛け部３２にも、リング４８がリング穴３４に取り付けられている。窓側カーテン５０は、レース製など光を透過する素材で作られ、上端部には等間隔にタックが寄せられ、このタックの部分にフック５２が取り付けられている。窓側カーテン５０は、フック５２をランナーのリング４８にかけて、ランナーとともに移動可能に吊下げられている。
【００１８】
窓側カーテン５０の端部５０ａにもタックが寄せられてフック５２が設けられ、端部５０ａに位置するフック５２は、ストップ部材２８のリング掛け部３２のリング４８にかけられている。これにより、窓側カーテン５０を閉める際に、窓側カーテン５０の端部５０ａが窓側カーテンレール２０の端部から動かないように係止している。
【００１９】
室内側カーテンレール２２の端部には、窓側カーテンレール２０と同様にストップ部材２８が、ナット部材３６とネジ４４により取り付けられている。室内側カーテンレール２２には、カーテンリターン部用金具１０は、取り付けられていない。室内側カーテンレール２２の溝部２６には、摺動可能なランナーが設けられ、各ランナーとストップ部材２８のリング掛け部３２には、リング４８が吊下げられている。室内側カーテン５４は遮光機能等を有する素材で作られ、上端部には等間隔にタックが寄せられ、ここにフック５２が取り付けられている。室内側カーテン５４は、フック５２をランナーのリング４８にかけて、移動可能に吊下げられている。
【００２０】
室内側カーテン５４の端部５４ａにもタックが寄せられてフック５２が設けられ、端部５４ａに位置するフック５２は、ストップ部材２８のリング掛け部３２のリング４８にかけられている。これにより、室内側カーテン５４を閉める際に、室内側カーテン５４の端部５４ａが室内側カーテンレール２２の端部から動かないように係止している。
【００２１】
室内側カーテン５４の端部５４ａには、図３（ａ）に示すように、窓側へむかって折り曲げられるリターン部５６が設けられている。リターン部５６は、室内側カーテン５４の生地を側方へ延長させて形成されている。リターン部５６の先端の上方部分には、カーテンリターン部用金具１０の面ファスナ１８に対向する部分に、面ファスナ５８が設けられている。面ファスナ５８は、カーテンリターン部用金具１０の面ファスナ１８に着脱可能な雄部材と雌部材のいずれか一方が設けられている。
【００２２】
リターン部５６は、図３（ｂ）に示すように、ストップ部材２８の外側を覆うように壁に向かって折り曲げられ、リターン部５６の面ファスナ５８が、カーテンリターン部用金具１０の面ファスナ１８に付着して係止される。これにより、リターン部５６は窓側カーテンレール２０と室内側カーテンレール２２のストップ部材２８を隠す。取付板１６の面ファスナ１８は、水平方向に長く設けられているため、壁の近くに達し、室内側カーテン５４のリターン部５６を壁に近づけた状態で保持する。また、リターン部５６の長さが短い場合は、面ファスナ１８の途中までで係止する。リターン部５６が長い場合は、面ファスナ１８の壁側に係止する。
【００２３】
この実施形態のカーテンリターン部用金具１０によれば、室内側カーテン５４のリターン部５６を簡単な操作で容易に着脱することができる。取付板１６の面ファスナ１８は、水平方向に長く設けられて壁の近くに達しているため、リターン部５６を壁に近づけた状態で保持することができる。これにより、窓からの光がカーテンの横から室内に入ることを確実に防ぎ、また室内で窓を横から見たときに窓側カーテンレール２０や窓側カーテンが隠されてすっきりとさせることができる。取付板１６の面ファスナ１８は、水平方向に長く設けられているため、室内側カーテン５４のリターン部５６の長さに合わせて任意の部分に係止することができ、リターン部５６に皺が寄ることがなく、自然な状態で吊下げることができる。また、取付板１６の面ファスナ１８が水平方向に長く設けられていることで、リターン部５６の上端が水平方向に長く保持され、取り付け強度も高くなる。カーテンリターン部用金具１０の、窓側カーテンレール２０への取り付けと取り外しは、ネジ４４を緩めて固定板１２を差し込んだり引き抜いたりする簡単な操作で行うことができ、室内側カーテン５４を交換する際にリターン部５６の有無に合わせて、手軽に変更することができる。
【００２４】
なお、この考案のカーテンリターン部用金具は、上記の実施形態に限定されず、各部材の形状は適宜変更可能である。カーテンリターン部用金具をカーテンレールに取り付ける方法も適宜変更可能であり、面ファスナは、磁石等その他の面状係止部材でもよい。また、カーテンリターン部用金具は、ダブルカーテン以外にシングルカーテンに取り付けることもできる。カーテンリターン部用金具とカーテンのリターン部の面ファスナは、雄部材と雌部材のいずれをどちらに使用してもよく、互いに着脱する雄雌兼用の同形の部材を設けてもよい。
【図面の簡単な説明】
【００２５】
【図１】この考案の一実施形態のカーテンリターン部用金具の斜視図である。
【図２】この実施形態のカーテンリターン部用金具の使用状態を示す縦断面図である。
【図３】この実施形態のカーテンリターン部用金具のリターン部を閉じる前の状態を示す斜視図(ａ)と、リターン部を閉じた状態を示す斜視図（ｂ）である。
【符号の説明】
【００２６】
１０  カーテンリターン部用金具
１２  固定板
１４  切込部
１６  取付板
１８，５８  面ファスナ
２０  窓側カーテンレール
２２  室内側カーテンレール
５４  室内側カーテン
５６  リターン部
【図１】
0003138685.tif 000003
【図２】
0003138685.tif 000004
【図３】
0003138685.tif 000005